(57)【要約】第１の種類の電極棒と、前記第１の種類の電極棒と異なる種類の第２の種類の電極棒を有し、前記第１の種類の電極棒と第２の種類の電極棒は、間隔を置いて並行に配置され、更に、前記第１の種類の電極棒と前記第２の種類の電極棒間に、直流電流を供給する電源を有し、前記第１の種類の電極棒と前記第２の種類の電極棒は、電解質イオン水中で前記電源により通電されることを特徴とする。
2014148397.tif 000002
【特許請求の範囲】
【請求項１】
第１の種類の電極棒と、  前記第１の種類の電極棒と異なる種類の第２の種類の電極棒を有し、  前記第１の種類の電極棒と第２の種類の電極棒は、間隔を置いて並行に配置され、更に、  前記第１の種類の電極棒と前記第２の種類の電極棒間に、直流電流を供給する電源を有し、  前記第１の種類の電極棒と前記第２の種類の電極棒は、電解質イオン水中で前記電源により通電される、  ことを特徴とする通電方式によるナノバブル発生装置。
【請求項２】
請求項１において、  前記第１の種類の電極棒と前記第２の種類の電極棒の少なくとも一方の電極棒を２本有し、  前記第１の種類の電極棒と前記第２の種類の電極棒が、交互に並行に配置されている、  ことを特徴とする通電方式によるナノバブル発生装置。
【請求項３】
それぞれ一端側が共通電極に接続された複数の第１の種類の電極棒と前記第１の種類の電極棒と異なる種類の複数の第２の種類の電極棒を有し、  前記複数の第１の種類の電極棒と前記複数の第２の種類の電極棒は、交互に間隔を置いて平行に配置され、更に、  前記第１の種類の電極棒と第２の種類の電極棒に直流電流を供給する電源を有し、  前記複数の第１の種類の電極棒と第２の種類の電極棒は、電解質イオン水中で前記電源により通電される、  ことを特徴とする通電方式によるナノバブル発生装置。
【請求項４】
一端側が共通電極に接続された複数の第１の種類の電極棒と、  前記一端側と反対側で共通電極に接続された複数の第２の種類の電極棒を有し、  前記複数の第１の種類の電極棒と前記複数の第２の種類の電極棒は、交互に平行に配置され前記一端側と反対側で絶縁体により固定され、更に、  前記第１の種類の電極棒と第２の種類の電極棒に直流電流を供給する電源を有し、  前記複数の第１の種類の電極棒と第２の種類の電極棒は、電解質イオン水中で前記電源により通電される、  ことを特徴とする通電方式によるナノバブル発生装置。
【請求項５】
請求項１乃至４のいずれか１項において、  前記第１の種類の電極棒はチタンの電極棒で陽極側とし、前記第２の電極棒は少なくとも表面が白金で陰極側として直流電流が供給される、  ことを特徴とする通電方式によるナノバブル発生装置。
【発明の詳細な説明】
【技術分野】
【０００１】  本発明は、ナノバブル発生装置に関し、特に、通電方式によりナノバブルを生成するナノバブル発生装置に関する。
【背景技術】
【０００２】  ナノ、マイクロバブル水は、現在、食品（殺菌）飲料水、化粧品、液晶製造、医療（殺菌、細胞保存、抗菌作用）水産資源・植物栽培（溶材酸素工場、成長促進）、電子機器基板等の洗浄、海洋環境・船体の摩擦抵抗低減化など多彩な分野からその活用が期待されるに至っている。【０００３】  そして、種々の構成のナノバブルの製造装置が提案されている（例えば、特許文献１〜３）。特許文献１は、殺菌水の製造装置を開示し、その構成は、有効塩素含有水を気体と混合し、スタティックミキサー内で渦のせん断力によって気泡を破細する。その後、絞り弁を通過する際、溶液を大気圧へ解放し、過飽和状態となった気体をマイクロバブルとして再気泡化させ、これに更に超音波エネルギーを供給するという装置である。【０００４】  特許文献２に記載の装置は、液体を分流し、分流の一方側で気体と混合しマイクロバブルを生成し、再度合流させ、孔付き板と、それに近接して設けられる衝突板に供給してナノバブルを製造する構成である。【０００５】  さらに、特許文献３に記載のナノバブル発生装置は、加圧した気体をノズルより液体中に放出して高速の気流とすることにより、液体と気体の摩擦を発生させて、気体をせん断することでナノバブルを発生させるものである。
【先行技術文献】
【特許文献】
【０００６】
【特許文献１】特開２０１３−１７９６３号公報
【特許文献２】特開２０１３−３４９５８号公報
【特許文献３】特開２０１１−１５６５２６号公報
【発明の概要】
【発明が解決しようとする課題】
【０００７】  しかし、上記のように、これまで提案されているナノバブル発生装置は、いずれも気体と液体を混合する構成を有し、その際、生成される気泡を更に、剪断力により破断し、あるいは衝突板に衝突させ、あるいは気体と液体との摩擦により、ナノバブルを生成する構造である。【０００８】  かかる構造から、小型化を目指しているが、構造が複雑となり、一般家庭、病医院等で使用可能なような小型化を実現することは難しい。【０００９】  本発明は、電解質イオン中で通電することにより水は電気分解され気泡が生じる。そして、本発明者等は、この気泡の大きさは、電極間の通電条件を変えることにより、制御出来ることを発見した。したがって、本発明の目的は、かかる原理を用いて構成される簡易構成の通電方式によるナノバブル発生装置を提供することにある。
【課題を解決するための手段】
【００１０】  本発明に従う通電方式によるナノバブル発生装置の第１の側面は、第１の種類の電極棒と、前記第１の種類の電極棒と異なる種類の第２の種類の電極棒を有し、前記第１の種類の電極棒と第２の種類の電極棒は、間隔を置いて並行に配置され、更に、前記第１の種類の電極棒と前記第２の種類の電極棒間に、直流電流を供給する電源を有し、前記第１の種類の電極棒と前記第２の種類の電極棒は、電解質イオン水中で前記電源により通電されることを特徴とする。【００１１】  前記第１の側面において、前記第１の種類の電極棒と前記第２の種類の電極棒の少なくとも一方の電極棒を２本有し、前記第１の種類の電極棒と前記第２の種類の電極棒が、交互に並行に配置されていることを特徴とする。【００１２】  本発明に従う通電方式によるナノバブル発生装置の第２の側面は、それぞれ一端側が共通電極に接続された複数の第１の種類の電極棒と前記第１の種類の電極棒と異なる種類の複数の第２の種類の電極棒を有し、前記複数の第１の種類の電極棒と前記複数の第２の種類の電極棒は、交互に間隔を置いて平行に配置され、更に、前記第１の種類の電極棒と第２の種類の電極棒に直流電流を供給する電源を有し、前記複数の第１の種類の電極棒と第２の種類の電極棒は、電解質イオン水中で前記電源により通電されることを特徴とする。【００１３】  本発明に従う通電方式によるナノバブル発生装置の第３の側面は、一端側が共通電極に接続された複数の第１の種類の電極棒と、前記一端側と反対側で共通電極に接続された複数の第２の種類の電極棒を有し、前記複数の第１の種類の電極棒と前記複数の第２の種類の電極棒は、交互に平行に配置され前記一端側と反対側で絶縁体により固定され、更に、前記第１の種類の電極棒と第２の種類の電極棒に直流電流を供給する電源を有し、前記複数の第１の種類の電極棒と第２の種類の電極棒は、電解質イオン水中で前記電源により通電されることを特徴とする。【００１４】  さらに、前記各側面において、前記第１の種類の電極棒はチタンの電極棒であって陽極側として、更に前記第２の種類の電極棒は少なくとも表面が白金で陰極側として直流電流が供給されることを特徴とする。
【発明の効果】
【００１５】  本発明に従うナノバブル発生装置は、簡易な構造でナノバブルを発生することが可能で有り、発生したナノバブルの殺菌能が確認された。よって、ナノバブル発生装置は、種々の適用が可能である。
【図面の簡単な説明】
【００１６】
【図１】本発明に従う通電方式によるナノバブル発生装置の適用実施例概略構成を示す図である。
【図２】本発明に従う通電方式によるナノバブル発生装置の構成例である。
【図３】理解容易なように気泡が発生した様子を示す図である。
【図４】ナノバブル発生装置１で２０分間バブルを発生後、５分経過後におけるバブル粒径値と散乱強度分布の関係を示すヒストグラムである。
【図５】ナノバブル発生装置で２０分間バブルを発生後、１５分経過後におけるバブル粒径値と散乱強度分布の関係を示すヒストグラムである。
【図６】ナノバブル発生装置１で２０分間バブルを発生後、３０分経過後におけるバブル粒径値と散乱強度分布の関係を示すヒストグラムである。
【図７】ナノバブル発生装置１で２０分間バブルを発生後、６０分経過後におけるバブル粒径値と散乱強度分布の関係を示すヒストグラムである。
【図８】図４から図７の散乱強度分布を重ね書きした折れ線グラフである。
【図９Ａ】図１の実施例構成に対して、携帯容易な構造にしたナノバブル発生装置１の実施例構成である。図９Ｃは、使用形態を説明する図である。
【図９Ｂ】図１の実施例構成に対して、携帯容易な構造にしたナノバブル発生装置１の実施例構成である。
【図９Ｃ】図９Ａ、図９Ｂの実施例構成の使用形態を説明する図である。
【図１０】ナノバブル発生装置１を利用した、据え置き型のナノバブル水を提供する装置の実施例構成を示す図である。
【図１１】他の適用例であり、ナノバブル水により、バスタブ内の湯を正常に保つためのシステムに本発明に従うナノバブル発生装置１を用いる構成例である。
【発明を実施するための形態】
【００１７】  以下に図面に従い、本発明に従う通電方式によるナノバブル発生装置について説明する。
【００１８】  図１は、本発明に従う通電方式によるナノバブル発生装置の適用実施例の概略構成を示す図である。図１に示す例は、本発明のナノバブル発生装置をポット容器に組み込んで、例えばうがい水の製造器として構成したものである。
【００１９】  蓋付きの注ぎ口を有するポット容器２内に、本発明のナノバブル発生装置１が固定して組み込まれている。ポット容器２内に、電解質イオン水３、例えば、通常の水道水を満たす。
【００２０】  ナノバブル発生装置１にはＡＣ１００Ｖ電源を直流に変換するＡＣ／ＤＣコンバータ１０が接続されている。
【００２１】  図２は、かかるポット容器２内に組み込まれている本発明に従う通電方式によるナノバブル発生装置の構成例である。
【００２２】  ２種類の異なる導電棒１２、１３が交互に平行に配列され、複数の導電棒１２の端部が、一端側で、共通電極１４に接続されている。一方、複数の導電棒１３の端部が、反対側端部で共通電極１５に接続されている。共通電極１４、１５側は、それぞれ絶縁性支持体１１Ｌ、１１Ｒにより固定されている。
【００２３】  電極となる導電棒１２、１３として白金、金、チタンなど身体に優しい金属が使用できる。また浄水の目的ではアルミ、ステンレス等多様な金属が使用できる。特に、銅は殺菌性が強い金属と考えられる。この様な金属の特性から目的に応じた電極材料の選択が可能である。
【００２４】  ここで、導電棒１２、１３の断面形状として円形の他に、四角形と多角形とすることが可能である。
【００２５】  さらに、実施例としては、陽極（＋）側に接続される導電棒１２としてチタンの金属棒を使用し、陰極（−）側に接続される導電棒１３として白金の金属棒を使用している。導電棒１３が白金のみであると高価であるので、チタンの金属棒の表面に白金をコーティングしたものであっても良い。また、上記の通り、チタンと白金の代わりに、アルミおよびステンレス金属等アレルギーを考慮した電極であれば、いずれにも代替が可能である。
【００２６】  また、陽極（＋）側と陰極（−）側の対応を相互に入れ替えても作動可能である。
【００２７】  さらに、絶縁性支持体１１Ｒの部分で、ＡＣ／ＤＣコンバータ１０の出力が、導電棒１２側に陽極（＋）側電極、導電棒１３側に陰極（−）側電極が対応する様に接続される。
【００２８】  ＡＣ／ＤＣコンバータ１０は、例としてＡＣ１００Ｖ電源をＤＣ１２Ｖ、０．２Ａの電圧に変換する。
【００２９】  この様な構成で、２種類の異なる導電棒１２、１３が交互に平行に配列された状態のナノバブル発生装置１を電解質イオン水中に配置し、直流電流を供給する。これにより、電解質イオン水が電気分解されて気泡が発生する。
【００３０】  図３は、理解容易なように気泡が発生した様子を示す図である。ビーカー４に電解質イオン水（水道水）を満たし、本発明に従う図２に示したナノバブル発生装置１を電解質イオン水中に浸して気泡を発生させた状態である。後に説明するように、上部の白い部分が気泡であり、４００ｎｍより大きい径のマイクロバブルが主体である。さらに、４００ｎｍ以下の径のバブルが水中に存在する。
【００３１】  ［ナノバブル水のバブル形態観察及び分布状況］  ここで、上記の図２の構成のナノバブル発生装置１を用いて、電解質イオン水によりナノバブル水を生成した。電極棒として、１mm径のチタン電極棒と白金電極棒を用い、平行する電極棒間の間隔を１mmとした。チタン電極棒を陽極、白金棒を陰極に対応させて直流電流（ＤＣ１２Ｖ、０．２Ａ）を供給した。
【００３２】  ファイバー光学動的光散乱光度計（大塚電子八王子研究所パーティクルカウンタ）を用いて測定した。サンプルは、ナノバブル発生装置１で２０分間バブルを発生後、５、１５、３０、４５、６０分経過後におけるバブル形状を観察測定した。その後のバブルの存在は、ペン型赤色レーザー発光器により肉眼で確認した。
【００３３】  図４、図５、図６、図７は、それぞれナノバブル発生装置１で２０分間バブルを発生後、５分、１５分、３０分及び６０分経過後におけるバブル粒径値と散乱強度分布の関係を示すヒストグラムである。
【００３４】  図４において、ナノバブルは、３２０ｎｍを中央値とする２００〜４００ｎｍに分布していた。さらに時間経過後の図５〜図７からバブル発生当初は、マイクロバブルが多く混在するが、図６に示す３０分経過後の散乱強度分布としてナノバブル密度が最も高かった。
【００３５】  図８は、上記図４から図７の散乱強度分布を重ね書きした折れ線グラフである。このグラフからナノバブルが３２０ｎｍを中央値とする２００〜４００ｎｍに分布していることが判る。
【００３６】  上記の観察において、バブル発生器には、１μｍ以上のマイクロバブルが混在している。
【００３７】  そして、マイクロバブルは１時間程度掛けて次第に浮き上がり消失する。はじける前のバブルに火を近づけると小さく引火して破裂する。したがって、バブルは、水素ガスのバブルと考えられる。
【００３８】  バブル発生時、電解質イオン水は、図３に示したようにマイクロバブルにより上層部が白濁するが、次第に消失し全体が透明になりナノバブルだけが残存する。ナノバブルは、視認できず、上記のとおりレーザー光照射によって気泡を光らせることで存在が確認出来た。２４時間以降もレーザー光によるナノバブルは確認出来たが密度は下がっていると思われる。
【００３９】  結果として、２００ｎｍ〜４００ｎｍのナノバブル水は発生１５〜３０分が最も高く、しだいに密度を下げて行く傾向が窺えた。したがって、使用目的によっては、短時間で使い切ることが望ましいと考えられる。
【００４０】  ［ナノバブル水の殺菌能］  次に、上記のとおり、作業時間を考慮して、散乱強度分布としてナノバブル密度が最も高かったバブル発生後２０分経過時のナノバブル水を使用して、その殺菌能比較試験を行った。
【００４１】  １）科学的性状  次の４種類の性状の資料を用意した。ａ）煮沸による脱塩処理した電解質イオン水（原水）ｂ）煮沸による脱塩処理したナノバブル水ｃ）未処理の原水ｄ）未脱塩処理のナノバブル水上記４種類の資料の科学的性状は次の様であった。    水温(℃)           pH          有効塩素濃度(mg/ml)     オゾン濃度(mg/ml)ａ）  24.4             6.6                0                     0ｂ）  24.5             6.7                0                     0ｃ）  24.1             6.5              0.30                    0ｄ）  24.6             6.6              0.35                    0
【００４２】  ２）殺菌率（３系統の平均値で算出）Staphylococus aureus NBRC12732（黄色ブドウ球菌）については、次の様であった。    菌数:時間(0分)        10分処理        殺菌率     ａ）    500,000            290,000 ｂ）    500,000             34,000          88%ｃ）、ｄ）は、有効塩素濃度が有り、検出下限以下Escherichia coli NBR3972（大腸菌）については、次の様であった。    菌数:時間(0分)        10分処理        殺菌率     ａ）    450,000            420,000 ｂ）    450,000            200,000          52%ｃ）、ｄ）は、有効塩素濃度が有り、検出下限以下Aggregatibacter actinomycetemcomitans（歯周病菌一）については、次の様であった。    菌数:時間(0分)        10分処理        殺菌率ａ）  1,300,000          1,100,000 ｂ）  1,300,000            120,000          89%ｃ）、ｄ）は、有効塩素濃度が有り、検出下限以下Porphyromonas gingivalis JCM12257（歯周病菌二）については、次の様であった。    菌数:時間(0分)        10分処理        殺菌率ａ）    480,000             50,000ｂ）    480,000             ＜10            99.98%                           (10として算出)ｃ）    480,000             10ｄ）    480,000            ＜10   ｃ）の対照が検出以下のため算出不能  上記試験に基づいて、次のように纏められる。
【００４３】  本発明にしたがうナノバブル発生装置の原理は、通電方式によるナノバブル発生方式であり、電解質を含む水の電気分解を原理とする。したがって、水素を含むバブルが上昇・圧壊した後、水中に残存するバブルは、マイナスイオンに取り囲まれた酸素のナノバブルと考えられる。マイナスイオンに取り囲まれた酸素の微粒気泡は、プラス荷電の種々の菌と電気的に会合し易いと考えられる。
【００４４】  酸素を主体とするナノバブル中にオゾンは検出されなかった。原水に含まれる塩素はバブル化しても減退せず、ナノバル水の殺菌能検討には脱塩素する必要が認められた。
【００４５】  脱塩素電解質イオン水を用いたナノバブル水により以下の結果が導かれた。
【００４６】  図４〜図７のヒストグラムにおけるバブルの散乱強度分布から、よりバブルが高密度となるバブル発生後実質２０分前後のものを使用し、対象試験菌にナノバブル水を１０分間被爆させ、菌数の増減を検討した。
【００４７】  その結果は、次の通りであった。すなわち、Escherichia coli NBR3972（大腸菌）の殺菌率は５２％、Staphylococus aureus NBRC12732（黄色ブドウ球菌）の殺菌率は８８％、Aggregatibacter actinomycetemcomitans（歯周病菌一）は８９％、Porphyromonas gingivalis JCM12257（歯周病菌二）は９９．９８％である。
【００４８】  １０分被爆で常在菌叢をある程度残し、菌数を整える目的に十分な制菌効果が得られると判断できる。
【００４９】  また、菌の大きさは、Staphylococus aureus NBRC12732（黄色ブドウ球菌）が1×1μｍ、Escherichia coli NBR3972（大腸菌）が1×2〜6μｍ、そしてAggregatibacter actinomycetemcomitans（歯周病菌一）が0.1×0.2μｍであり、菌の大きさが殺菌率に影響していると考えられる。
【００５０】  対象菌としてEscherichia coli NBR3972（大腸菌）は、一般細菌の指標として検討したものであり、口腔内の意義は、少ないと思われる。また、ナノバブル水の身体全体の洗浄等の応用には、被爆時間との関係もあり検討を必要とする。
【００５１】  一方、小型の菌で口腔内の常在菌であるStaphylococus aureus NBRC12732（黄色ブドウ球菌）には効率に殺菌効果を示した。さらに、歯周病の原因菌であるAggregatibacter actinomycetemcomitansにも効率に殺菌効果を示した。
【００５２】  上記結果は、ナノバブルの殺菌能は菌の大きさに依存し、ナノバブルが菌と会合出来れば十分な殺菌性を発揮できると推察された。
【００５３】  一般的にナノバブルは、液層への浸透性が高く粘液内にも移行しやすいと言われている。歯周病の炎症部位は、歯間に満たされる粘液深部に嫌気性の歯周病菌が介在することにより慢性炎症を引き起こす。標準的な治療は隙間の歯垢を掻き出すものである。治療により歯間部が広げられると歯周病菌は更に深部に進み、口腔内環境が更に悪化する可能性がある。
【００５４】  ナノバブルは粘液中に浸透し嫌気性環境に巣くう歯周病菌にナノ泡粒として会合することが想定され、嫌気性の口腔内環境を改善することが期待される。
【００５５】  ［具体的な適用例］  次に、上記した本発明のナノバブル発生装置１の制菌能を考慮した具体的な適用例について更に説明する。
【００５６】  図９Ａ、図９Ｂは、図１の実施例構成に対して、携帯容易な構造にしたナノバブル発生装置１の実施例構成である。図９Ｃは、図９Ａ、図９Ｂの実施例構成の使用形態を説明する図である。
【００５７】  図９Ａは、コードレスでバッテリを有する形態、図９Ｂは、電源コードを通し、商用電源で使用する形態である。
【００５８】  図９Ａ、図９Ｂにおいて、ナノバブル発生装置１は、ナノバブル発生部Ｉと本体部ＩＩを有する構造である。ナノバブル発生部Ｉは、２種類の電極棒１２，１３を有し、２本の第１の種類の電極棒１２と、第１の種類と異なる第２の種類の電極棒１３を交互に平行に間隔を置いて並ぶように端部が固定部１１で固定されている。第１の種類の電極棒１２と、第１の種類と異なる第２の種類の電極棒１３を入れ替えて配置してもよい。
【００５９】  さらに、２種類の電極棒１２，１３のそれぞれを１本ずつとして、平行に並べて対にした構成でもよい。ただし、この場合は、同じ電流では、バブル発生に要する時間が長くなる。
【００６０】  図９Ａの構成例では、本体部ＩＩには、電源部としてバッテリ２０が収納され、更に詳細図示を省略しているが、バッテリ２０の出力電圧を昇圧する昇圧回路、タイマーそして、電流制御としてＰＷＭ（パルス幅制御）機能を有する制御部２２を有する。電圧及び、電流更に通電時間が制御される、制御部２２の陽極（＋）出力端子と、陰極（−）出力端子が、それぞれ第１の種類の電極棒１２と第２の種類の電極棒１３に接続される。
【００６１】  制御指示部２１により、前記圧及び、電流更に通電時間の設定が使用者により行われる。
【００６２】  なお、バッテリ２０は、乾電池、あるいは充電可能なバッテリとすることが出来る。
【００６３】  図９Ｂは、商用電源で使用する形態であり、１００Ｖの商用電源をＡＣ／ＤＣコンバータ２３を通して、本体部ＩＩの制御部２２に入力する。本体部ＩＩの制御部２２は、図９Ａについて説明したと同じであるので、同様の説明は省略する。
【００６４】  図９Ｃは、図９Ａ、図９Ｂに示した携帯容易な構造にしたナノバブル発生装置１の使用方法である。
【００６５】  コップ２４に水道水を満たし、これに制御指示部２１により電圧、電流、更に動作時間を設定してナノバブル発生装置１のナノバブル発生部Ｉをコップ内に浸ける状態にする。これにより、先に図１〜図３において説明したように、コップ内の水道水にナノバブルが発生する。したがって、コップ内に発生したナノバブル水は、上記したようにその殺菌能力が確かめられたので、口腔内洗浄に使用することが出来る。
【００６６】  図１０は、ナノバブル発生装置１を利用した、据え置き型のナノバブル水を提供する装置の実施例構成を示す図である。
【００６７】  筐体内にナノバブル発生装置１を水２６が満たされたタンク２５内に配置する。このナノバブル発生装置１には、先の実施例構成で説明したように、商用電源から供給される交流電圧を直流電圧に変換するＡＣ／ＤＣコンバータ２３により得られる直流電圧が、制御部２２を通して供給される。
【００６８】  制御部２２により、ナノバブル発生装置１への直流電流の大きさ、供給時間が制御される。制御部２２は、更に、ポンプ２７を駆動する電力を供給する。ポンプ２７は、水タンク２５と導水管により繋がれているので、制御部２２により制御されて、水タンク２５内のナノバブル水を吸い上げて、配管２８を通して、排出する。したがって、排出されるナノバブル水をコップ２４で受けて、飲料あるいは、口腔内洗浄に使用することが出来る。
【００６９】  さらに、図１１は、他の適用例であり、ナノバブル水により、バスタブ内の湯を正常に保つためのシステムに本発明に従うナノバブル発生装置１を用いる構成例である。
【００７０】  すなわち、かかる図１１の構成ではバスタブ３０内に張られた湯水３１中に、ナノバブル発生装置１を沈める。この時、入浴者の体とナノバブル発生装置１の電極とが接触しないように、絶縁体の外装に覆われるようにしている。
【００７１】  外部には、防水ボックス３２を有し、防水ボックス３２内に、商用電源から供給される交流電圧を直流電圧に変換するＡＣ／ＤＣコンバータ２３により得られる直流電圧により充電されるバッテリ２０と、制御部２２を有する。したがって、バッテリ２０と、制御部２２は、防水ボックス３２の防水構造で保護される。
【００７２】  すなわち、商用電源から切り離されて防水ボックス３２のみを浴室内に置くことができる。防水ボックス３２内の制御部２２により、先の構成例と同様に、ＰＷＭ機能を有してバスタブ内のナノバブル発生装置１に供給される直流電流が制御される。
【産業上の利用可能性】
【００７３】  上記したように、本発明に従うナノバブル発生装置は、簡易な構造でナノバブルを発生することが可能であり、発生したナノバブルの殺菌能が確認された。よって、上記したように生成されたナノバブルの殺菌能を考慮して、種々の適用が可能である。一例として、ナノバブル水を飲料として、あるいはナノバブル水を使用する種々の洗浄装置を構成して提供することが可能である。
【符号の説明】
【００７４】１  ナノバブル発生装置２  ポット容器３  電解質イオン水１０、２３  ＡＣ／ＤＣコンバータ１１Ｌ、１１Ｒ  電極棒支持体１２  陽極側電極棒１３  陰極側電極棒１４、１５  共通電極２０  バッテリ２１  制御指示部２２  制御部
【図１】
2014148397.tif 000003
【図２】
2014148397.tif 000004
【図４】
2014148397.tif 000005
【図５】
2014148397.tif 000006
【図６】
2014148397.tif 000007
【図７】
2014148397.tif 000008
【図８】
2014148397.tif 000009
【図９Ａ】
2014148397.tif 000010
【図９Ｂ】
2014148397.tif 000011
【図９Ｃ】
2014148397.tif 000012
【図１０】
2014148397.tif 000013
【図１１】
2014148397.tif 000014
【図３】
2014148397.tif 000015
【手続補正書】
【提出日】平成26年8月12日(2014.8.12)
【手続補正１】
【補正対象書類名】特許請求の範囲
【補正対象項目名】全文
【補正方法】変更
【補正の内容】
【特許請求の範囲】
【請求項１】
第１の電極棒と、前記第１の電極棒と異なる種類の第２の電極棒を有し、前記第１の電極棒と第２の電極棒は、間隔を置いて並行に配置され、更に、前記第１の電極棒と前記第２の電極棒間に、直流電流を供給する電源を有し、前記第１の電極棒と前記第２の電極棒は、電解質イオン水中で前記電源により通電されるバブル発生装置によりバブルを発させ、
時間経過において密度の高くなる３２０ｎｍを中央値とする２００〜４００ｎｍのナノバブルにより菌全般、特に嫌気性菌を殺菌する、
ことを特徴とするナノバブルによる殺菌方法。
【請求項２】
請求項１において、
前記時間経過は、前記バブル発生後１５〜３０分経過後である、
ことを特徴とする通電方式によるナノバブルによる殺菌方法。
【請求項３】
第１の電極棒と、前記第１の電極棒と異なる第２の電極棒を有し、前記第１の電極棒と前記第２の電極棒は、間隔を置いて並行に配置され、前記第１の電極棒と前記第２の電極棒間に直流通電してバブルを発生する装置を用いた殺菌方法であって、
前記第１の電極をチタンで陽極側の電極棒とし、前記第２の電極棒を白金で陰極側の電極棒とし、
前記チタンの電極棒と前記白金の電極棒を電解質イオン水中で前記電源により通電してバブルを発生させ、
前記バブルの発生から１５〜３０分後の密度の高くなる３２０ｎｍを中央値とする２００ｎｍ〜４００ｎｍのナノバブルを殺菌に使用する、
ことを特徴とするナノバブルによる殺菌方法。
【手続補正３】
【補正対象書類名】明細書
【補正対象項目名】０００１
【補正方法】変更
【補正の内容】
【０００１】
技術分野
［０００１］
本発明は、ナノバブルによる殺菌方法に関し、特に、通電方式によるナノバブル発生装置によって生成されるナノバブルによる殺菌方法に関する。
背景技術
［０００２］
ナノ、マイクロバブル水は、現在、食品（殺菌）飲料水、化粧品、液晶製造、医療（殺菌、細胞保存、抗菌作用）水産資源・植物栽培（溶材酸素工場、成長促進）、電子機器基板等の洗浄、海洋環境・船体の摩擦抵抗低減化など多彩な分野からその活用が期待されるに至っている。
［０００３］
そして、種々の構成のナノバブルの製造装置が提案されている（例えば、特許文献１〜３）。特許文献１は、殺菌水の製造装置を開示し、その構成は、有効塩素含有水を気体と混合し、スタティックミキサー内で渦のせん断力によって気泡を破細する。その後、絞り弁を通過する際、溶液を大気圧へ解放し、過飽和状態となった気体をマイクロバブルとして再気泡化させ、これに更に超音波エネルギーを供給するという装置である。
［０００４］
特許文献２に記載の装置は、液体を分流し、分流の一方側で気体と混合しマイクロバブルを生成し、再度合流させ、孔付き板と、それに近接して設けられる衝突板に供給してナノバブルを製造する構成である。
［０００５］
さらに、特許文献３に記載のナノバブル発生装置は、加圧した気体をノズルより液体中に放出して高速の気流とすることにより、液体と気体の摩擦を発生させて、気体をせん断することでナノバブルを発生させるものである。
先行技術文献
特許文献
［０００６］
特許文献１：特開２０１３−１７９６３号公報
特許文献２：特開２０１３−３４９５８号公報
特許文献３：特開２０１１−１５６５２６号公報
【手続補正４】
【補正対象書類名】明細書
【補正対象項目名】０００２
【補正方法】変更
【補正の内容】
【０００２】
発明の概要
発明が解決しようとする課題
［０００７］
しかし、上記のように、これまで提案されているナノバブル発生装置は、いずれも気体と液体を混合する構成を有し、その際、生成される気泡を更に、剪断力により破断し、あるいは衝突板に衝突させ、あるいは気体と液体との摩擦により、ナノバブルを生成する構造である。
［０００８］
かかる構造から、小型化を目指しているが、構造が複雑となり、一般家庭、病医院等で使用可能なような小型化を実現することは難しい。
［０００９］
本発明は、電解質イオン中で通電することにより水は電気分解され気泡が生じる。そして、本発明者等は、この気泡の大きさは、電極間の通電条件を変えることにより、制御出来ることを発見した。さらに、バブルの生成から所定時間後にナノバブルの密度が高く殺菌効果が高いことを確認した。したがって、本発明の目的は、通電方式によるナノバブル発生装置により生成されるナノバブルによる殺菌方法を提供することにある。
課題を解決するための手段
［００１０］
上記目的を達成する本発明に従う通電方式による発生装置によって生成されるナノバブルによる殺菌方法の第１の側面は、第１の電極棒と、前記第１の電極棒と異なる種類の第２の電極棒を有し、前記第１の電極棒と第２の電極棒は、間隔を置いて並行に配置され、更に、前記第１の電極棒と前記第２の電極棒間に、直流電流を供給する電源を有し、前記第１の電極棒と前記第２の電極棒は、電解質イオン水中で前記電源により通電されるバブル発生装置によりバブルを発させ、時間経過において密度の高くなる３２０ｎｍを中央値とする２００〜４００ｎｍのナノバブルにより菌全般、特に嫌気性菌を殺菌することを特徴とする。
［００１１］
上記目的を達成する本発明に従う通電方式による発生装置によって生成されるナノバブルによる殺菌方法の第１の側面において、前記時間経過は、前記バブル発生後１５〜３０分経過後であることを特徴とする。
［００１２］
上記目的を達成する本発明に従う通電方式による発生装置によって生成
【手続補正５】
【補正対象書類名】明細書
【補正対象項目名】０００３
【補正方法】変更
【補正の内容】
【０００３】
されるナノバブルによる殺菌方法の第２の側面は、第１の電極棒と、前記第１の電極棒と異なる第２の電極棒を有し、前記第１の電極棒と前記第２の電極棒は、間隔を置いて並行に配置され、前記第１の電極棒と前記第２の電極棒間に直流通電してバブルを発生する装置を用いた殺菌方法であって、前記第１の電極をチタンで陽極側の電極棒とし、前記第２の電極棒を白金で陰極側の電極棒とし、前記チタンの電極棒と前記白金の電極棒を電解質イオン水中で前記電源により通電してバブルを発生させ、前記バブルの発生から１５〜３０分後の密度の高くなる３２０ｎｍを中央値とする２００ｎｍ〜４００ｎｍのナノバブルを殺菌に使用することを特徴とする。
［００１３］
［００１４］
発明の効果
［００１５］
本発明に従う通電方式による発生装置によって生成されるナノバブルによる殺菌方法は、簡易な構造でナノバブルを発生することが可能で有り、発生したナノバブルの殺菌能が確認された。よって、ナノバブル発生装置は、種々の適用が可能である。
図面の簡単な説明
［００１６］
［図１］本発明のナノバブルによる殺菌方法に用いるナノバブル発生装置の適用実施例概略構成を示す図である。
［図２］本発明のナノバブルによる殺菌方法に用いる通電方式によるナノバブル発生装置の構成例である。
［図３］理解容易なように気泡が発生した様子を示す図である。
［図４］ナノバブル発生装置１で２０分間バブルを発生後、５分経過後におけるバブル粒径値と散乱強度分布の関係を示すヒストグラムである。
［図５］ナノバブル発生装置で２０分間バブルを発生後、１５分経過後におけるバブル粒径値と散乱強度分布の関係を示すヒストグラムである。
【手続補正６】
【補正対象書類名】明細書
【補正対象項目名】０００４
【補正方法】変更
【補正の内容】
【０００４】
［図６］ナノバブル発生装置１で２０分間バブルを発生後、３０分経過後におけるバブル粒径値と散乱強度分布の関係を示すヒストグラムである。
［図７］ナノバブル発生装置１で２０分間バブルを発生後、６０分経過後におけるバブル粒径値と散乱強度分布の関係を示すヒストグラムである。
［図８］図４から図７の散乱強度分布を重ね書きした折れ線グラフである。
［図９Ａ］図１の実施例構成に対して、携帯容易な構造にしたナノバブル発生装置１の実施例構成である。図９Ｃは、使用形態を説明する図である。
［図９Ｂ］図１の実施例構成に対して、携帯容易な構造にしたナノバブル発生装置１の実施例構成である。
［図９Ｃ］図９Ａ、図９Ｂの実施例構成の使用形態を説明する図である。
［図１０］ナノバブル発生装置１を利用した、据え置き型のナノバブル水を提供する装置の実施例構成を示す図である。
［図１１］他の適用例であり、ナノバブル水により、バスタブ内の湯を正常に保つためのシステムに本発明に従うナノバブルによる殺菌方法に用いるナノバブル発生装置１の構成例である。
発明を実施するための形態
［００１７］
以下に図面に従い、本発明に従うナノバブルによる殺菌方法に用いる通電方式によるナノバブル発生装置について説明する。
［００１８］
図１は、本発明に従うナノバブルによる殺菌方法に用いる通電方式によるナノバブル発生装置の適用実施例の概略構成を示す図である。図１に示す例は、本発明のナノバブルによる殺菌方法に用いるナノバブル発生装置をポット容器に組み込んで、例えばうがい水の製造器として構成したものである。
［００１９］
蓋付きの注ぎ口を有するポット容器２内に、本発明のナノバブル発生装置１が固定して組み込まれている。ポット容器２内に、電解質イオン水３、例えば、通常の水道水を満たす。
［００２０］
ナノバブル発生装置１にはＡＣ１００Ｖ電源を直流に変換するＡＣ／ＤＣコンバータ１０が接続されている。
【手続補正７】
【補正対象書類名】明細書
【補正対象項目名】０００５
【補正方法】変更
【補正の内容】
【０００５】
［００２１］
図２は、かかるポット容器２内に組み込まれている本発明に従うナノバブルによる殺菌方法に用いる通電方式によるナノバブル発生装置の構成例である。
［００２２］
２種類の異なる導電棒１２、１３が交互に平行に配列され、複数の導電棒１２の端部が、一端側で、共通電極１４に接続されている。一方、複数の導電棒１３の端部が、反対側端部で共通電極１５に接続されている。共通電極１４、１５側は、それぞれ絶縁性支持体１１Ｌ、１１Ｒにより固定されている。
［００２３］
電極となる導電棒１２、１３として白金、金、チタンなど身体に優しい金属が使用できる。また浄水の目的ではアルミ、ステンレス等多様な金属が使用できる。特に、銅は殺菌性が強い金属と考えられる。この様な金属の特性から目的に応じた電極材料の選択が可能である。
［００２４］
ここで、導電棒１２、１３の断面形状として円形の他に、四角形と多角形とすることが可能である。
［００２５］
さらに、実施例としては、陽極（＋）側に接続される導電棒１２としてチタンの金属棒を使用し、陰極（−）側に接続される導電棒１３として白金の金属棒を使用している。導電棒１３が白金のみであると高価であるので、チタンの金属棒の表面に白金をコーティングしたものであっても良い。また、上記の通り、チタンと白金の代わりに、アルミおよびステンレス金属等アレルギーを考慮した電極であれば、いずれにも代替が可能である。
［００２６］
また、陽極（＋）側と陰極（−）側の対応を相互に入れ替えても作動可能である。
［００２７］
さらに、絶縁性支持体１１Ｒの部分で、ＡＣ／ＤＣコンバータ１０の出力が、導電棒１２側に陽極（＋）側電極、導電棒１３側に陰極（−）側電極が対応する様に接続される。
［００２８］
ＡＣ／ＤＣコンバータ１０は、例としてＡＣ１００Ｖ電源をＤＣ１２Ｖ、０．２Ａの電圧に変換する。
［００２９］
この様な構成で、２種類の異なる導電棒１２、１３が交互に平行に配列された状態のナノバブル発生装置１を電解質イオン水中に配置し、直流電流を供給する。これにより、電解質イオン水が電気分解されて気泡が発生する。
【手続補正８】
【補正対象書類名】明細書
【補正対象項目名】０００９
【補正方法】変更
【補正の内容】
【０００９】
［００４３］
本発明に従うナノバブルによる殺菌方法に用いるナノバブル発生装置の原理は、通電方式によるナノバブル発生方式であり、電解質を含む水の電気分解を原理とする。したがって、水素を含むバブルが上昇・圧壊した後、水中に残存するバブルは、マイナスイオンに取り囲まれた酸素のナノバブルと考えられる。マイナスイオンに取り囲まれた酸素の微粒気泡は、プラス荷電の種々の菌と電気的に会合し易いと考えられる。
［００４４］
酸素を主体とするナノバブル中にオゾンは検出されなかった。原水に含まれる塩素はバブル化しても減退せず、ナノバル水の殺菌能検討には脱塩素する必要が認められた。
［００４５］
脱塩素電解質イオン水を用いたナノバブル水により以下の結果が導かれた。
［００４６］
図４〜図７のヒストグラムにおけるバブルの散乱強度分布から、よりバブルが高密度となるバブル発生後実質２０分前後のものを使用し、対象試験菌にナノバブル水を１０分間被爆させ、菌数の増減を検討した。
［００４７］
その結果は、次の通りであった。すなわち、Ｅｓｃｈｅｒｉｃｈｉａ  ｃａｌｉ  ＮＢＲ３９７２（大腸菌）の殺菌率は５２％、Ｓｔａｐｈｙｌｏｃｏｃｕｓ  ａｕｒｅｕｓ  ＮＢＲＣ１２７３２（黄色ブドウ球菌）の殺菌率は８８％、Ａｇｇｒｅｇａｔｉｂａｃｔｅｒ  ａｃｔｉｎｏｍｙｃｅｔｅｍｃｏｍｉｔａｎｓ（歯周病菌一）は８９％、Ｐｏｒｐｈｙｒｏｍｏｎａｓ  ｇｉｎｇｉｖａｌｉｓ  ＪＣＭ１２２５７（歯周病菌二）は９９．９８％である。
［００４８］
１０分被爆で常在菌叢をある程度残し、菌数を整える目的に十分な制菌効果が得られると判断できる。
［００４９］
また、菌の大きさは、Ｓｔａｐｈｙｌｏｃｏｃｕｓ  ａｕｒｅｕｓ  ＮＢＲＣ１２７３２（黄色ブドウ球菌）が１×１μｍ、Ｅｓｃｈｅｒｉｃｈｉａ  ｃｏｌｉ  ＮＢＲ３９７２（大腸菌）が１×２〜６μｍ、そしてＡｇｇｒｅｇａｔｉｂａｃｔｅｒ  ａｃｔｉｎｏｍｙｃｅｔｅｍｃｏｍｉｔａｎｓ（歯周病菌一）が０．１×０．２μｍであり、菌の大きさが殺菌率に影響していると考えられる。
［００５０］
対象菌としてＥｓｃｈｅｒｉｃｈｉａ  ｃｏｌｉ  ＮＢＲ３９７２（大腸菌）は、一般細菌の指標として検討したものであり、口腔内の意義は、少ないと思われる。また、ナノバブル水の身体全体の洗浄等の応用には、被爆時間との関係もあり検討を必
【手続補正９】
【補正対象書類名】明細書
【補正対象項目名】００１０
【補正方法】変更
【補正の内容】
【００１０】
要とする。
［００５１］
一方、小型の菌で口腔内の常在菌であるＳｔａｐｈｙｌｏｃｏｃｕｓ  ａｕｒｅｕｓ  ＮＢＲＣ１２７３２（黄色ブドウ球菌）には効率に殺菌効果を示した。さらに、歯周病の原因菌であるＡｇｇｒｅｇａｔｉｂａｃｔｅｒ  ａｃｔｉｎｏｍｙｃｅｔｅｍｃｏｍｉｔａｎｓにも効率に殺菌効果を示した。
［００５２］
上記結果は、ナノバブルの殺菌能は菌の大きさに依存し、ナノバブルが菌と会合出来れば十分な殺菌性を発揮できると推察された。
［００５３］
一般的にナノバブルは、液層への浸透性が高く粘液内にも移行しやすいと言われている。歯周病の炎症部位は、歯間に満たされる粘液深部に嫌気性の歯周病菌が介在することにより慢性炎症を引き起こす。標準的な治療は隙間の歯垢を掻き出すものである。治療により歯間部が広げられると歯周病菌は更に深部に進み、口腔内環境が更に悪化する可能性がある。
［００５４］
ナノバブルは粘液中に浸透し嫌気性環境に巣くう歯周病菌にナノ泡粒として会合することが想定され、嫌気性の口腔内環境を改善することが期待される。
［００５５］
［具体的な適用例］
次に、上記した本発明の、ナノバブル発生装置１により生成されるナノバブルによる殺菌方法の制菌能を考慮した具体的な適用例について更に説明する。
［００５６］
図９Ａ、図９Ｂは、図１の実施例構成に対して、携帯容易な構造にしたナノバブル発生装置１の実施例構成である。図９Ｃは、図９Ａ、図９Ｂの実施例構成の使用形態を説明する図である。
［００５７］
図９Ａは、コードレスでバッテリを有する形態、図９Ｂは、電源コードを通し、商用電源で使用する形態である。
［００５８］
図９Ａ、図９Ｂにおいて、ナノバブル発生装置１は、ナノバブル発生部Ｉと本体部ＩＩを有する構造である。ナノバブル発生部Ｉは、２種類の電極棒１２，１３を有し、２本の第１の種類の電極棒１２と、第１の種類と異なる第２の種類の電極棒１３を交互に平行に間隔を置いて並ぶように端部が固定部１１で固定されている。第１の種類の電極棒１２と、第１の種類と異なる
【手続補正１０】
【補正対象書類名】明細書
【補正対象項目名】００１２
【補正方法】変更
【補正の内容】
【００１２】
［００６７］
筐体内にナノバブル発生装置１を水２６が満たされたタンク２５内に配置する。このナノバブル発生装置１には、先の実施例構成で説明したように、商用電源から供給される交流電圧を直流電圧に変換するＡＣ／ＤＣコンバータ２３により得られる直流電圧が、制御部２２を通して供給される。
［００６８］
制御部２２により、ナノバブル発生装置１への直流電流の大きさ、供給時間が制御される。制御部２２は、更に、ポンプ２７を駆動する電力を供給する。ポンプ２７は、水タンク２５と導水管により繋がれているので、制御部２２により制御されて、水タンク２５内のナノバブル水を吸い上げて、配管２８を通して、排出する。したがって、排出されるナノバブル水をコップ２４で受けて、飲料あるいは、口腔内洗浄に使用することが出来る。
［００６９］
さらに、図１１は、他の適用例であり、ナノバブル水により、バスタブ内の湯を正常に保つためのシステムに本発明に従うナノバブル発生装置１を用いる構成例である。
［００７０］
すなわち、かかる図１１の構成ではバスタブ３０内に張られた湯水３１中に、ナノバブル発生装置１を沈める。この時、入浴者の体とナノバブル発生装置１の電極とが接触しないように、絶縁体の外装に覆われるようにしている。
［００７１］
外部には、防水ボックス３２を有し、防水ボックス３２内に、商用電源から供給される交流電圧を直流電圧に変換するＡＣ／ＤＣコンバータ２３により得られる直流電圧により充電されるバッテリ２０と、制御部２２を有する。したがって、バッテリ２０と、制御部２２は、防水ボックス３２の防水構造で保護される。
［００７２］
すなわち、商用電源から切り離されて防水ボックス３２のみを浴室内に置くことができる。防水ボックス３２内の制御部２２により、先の構成例と同様に、ＰＷＭ機能を有してバスタブ内のナノバブル発生装置１に供給される直流電流が制御される。
産業上の利用可能性
［００７３］
上記したように、本発明に従うナノバブルによる殺菌方法に用いるナノバブル発生装置は、簡易な構造でナノ
【手続補正書】
【提出日】平成27年12月3日(2015.12.3)
【手続補正１】
【補正対象書類名】明細書
【補正対象項目名】全文
【補正方法】変更
【補正の内容】
【発明の詳細な説明】
【技術分野】
【０００１】
本発明は、ナノバブルによる殺菌方法及びこれに用いるナノバブルの発生装置に関し、特に、通電方式によるナノバブル発生装置によって生成されるナノバブルによる殺菌方法に関する。
【背景技術】
【０００２】
ナノ、マイクロバブル水は、現在、食品（殺菌）飲料水、化粧品、液晶製造、医療（殺菌、細胞保存、抗菌作用）水産資源・植物栽培（溶材酸素工場、成長促進）、電子機器基板等の洗浄、海洋環境・船体の摩擦抵抗低減化など多彩な分野からその活用が期待されるに至っている。
【０００３】
そして、種々の構成のナノバブルの製造装置が提案されている（例えば、特許文献１〜３）。特許文献１は、殺菌水の製造装置を開示し、その構成は、有効塩素含有水を気体と混合し、スタティックミキサー内で渦のせん断力によって気泡を破細する。その後、絞り弁を通過する際、溶液を大気圧へ解放し、過飽和状態となった気体をマイクロバブルとして再気泡化させ、これに更に超音波エネルギーを供給するという装置である。
【０００４】
特許文献２に記載の装置は、液体を分流し、分流の一方側で気体と混合しマイクロバブルを生成し、再度合流させ、孔付き板と、それに近接して設けられる衝突板に供給してナノバブルを製造する構成である。
【０００５】
さらに、特許文献３に記載のナノバブル発生装置は、加圧した気体をノズルより液体中に放出して高速の気流とすることにより、液体と気体の摩擦を発生させて、気体をせん断することでナノバブルを発生させるものである。
【先行技術文献】
【特許文献】
【０００６】
【特許文献１】特開２０１３−１７９６３号公報
【特許文献２】特開２０１３−３４９５８号公報
【特許文献３】特開２０１１−１５６５２６号公報
【発明の概要】
【発明が解決しようとする課題】
【０００７】
しかし、上記のように、これまで提案されているナノバブル発生装置は、いずれも気体と液体を混合する構成を有し、その際、生成される気泡を更に、剪断力により破断し、あるいは衝突板に衝突させ、あるいは気体と液体との摩擦により、ナノバブルを生成する構造である。
【０００８】
かかる構造から、小型化を目指しているが、構造が複雑となり、一般家庭、病医院等で使用可能なような小型化を実現することは難しい。
【０００９】
本発明は、電解質イオン中で通電することにより水は電気分解され気泡が生じる。そして、本発明者等は、この気泡の大きさは、電極間の通電条件を変えることにより、制御出来ることを発見した。さらに、バブルの生成から所定時間後にナノバブルの密度が高く殺菌効果が高いことを確認した。したがって、本発明の目的は、通電方式によるナノバブル発生装置により生成されるナノバブルによる殺菌方法を提供することにある。
【課題を解決するための手段】
【００１０】
上記目的を達成する本発明に従う通電方式による発生装置によって生成されるナノバブルによる殺菌方法の第１の側面は、第１の電極棒と、前記第１の電極棒と異なる種類の第２の電極棒を有し、前記第１の電極棒と第２の電極棒は、間隔を置いて並行に配置され、更に、前記第１の電極棒と前記第２の電極棒間に、直流電流を供給する電源を有し、前記第１の電極棒と前記第２の電極棒は、電解質イオン水中で前記電源により通電されるバブル発生装置によりバブルを発生させ、時間経過において密度の高くなる３２０ｎｍを中央値とする２００〜４００ｎｍのナノバブルにより嫌気性菌を含む菌全般を殺菌することを特徴とする。
【００１１】
上記目的を達成する本発明に従う通電方式による発生装置によって生成されるナノバブルによる殺菌方法の第１の側面において、前記時間経過は、前記バブル発生後１５〜３０分経過後であることを特徴とする。
【００１２】
上記目的を達成する本発明に従う通電方式による発生装置によって生成されるナノバブルによる殺菌方法の第２の側面は、第１の電極棒と、前記第１の電極棒と異なる第２の電極棒を有し、前記第１の電極棒と前記第２の電極棒は、間隔を置いて並行に配置され、前記第１の電極棒と前記第２の電極棒間に直流通電してバブルを発生する装置を用いた殺菌方法であって、前記第１の電極をチタンで陽極側の電極棒とし、前記第２の電極棒を白金で陰極側の電極棒とし、前記チタンの電極棒と前記白金の電極棒を電解質イオン水中で前記電源により通電してバブルを発生させ、前記バブルの発生から１５〜３０分後の密度の高くなる３２０ｎｍを中央値とする２００ｎｍ〜４００ｎｍのナノバブルを殺菌に使用することを特徴とする。
【発明の効果】
【００１３】
本発明に従う通電方式による発生装置によって生成されるナノバブルによる殺菌方法は、簡易な構造でナノバブルを発生することが可能で有り、発生したナノバブルの殺菌能が確認された。よって、ナノバブル発生装置は、種々の適用が可能である。
【図面の簡単な説明】
【００１４】
【図１】本発明の殺菌方法に用いるナノバブルを発生するナノバブル発生装置の適用実施例概略構成を示す図である。
【図２】本発明の殺菌方法に用いるナノバブルを発生する通電方式によるナノバブル発生装置の構成例である。
【図３】理解容易なように気泡が発生した様子を示す図である。
【図４】ナノバブル発生装置で２０分間バブルを発生後、５分経過後におけるバブル粒径値と散乱強度分布の関係を示すヒストグラムである。
【図５】ナノバブル発生装置で２０分間バブルを発生後、１５分経過後におけるバブル粒径値と散乱強度分布の関係を示すヒストグラムである。
【図６】ナノバブル発生装置で２０分間バブルを発生後、３０分及び６０分経過後におけるバブル粒径値と散乱強度分布の関係を示すヒストグラムである。
【図７】ナノバブル発生装置で２０分間バブルを発生後、６０分経過後におけるバブル粒径値と散乱強度分布の関係を示すヒストグラムである。
【図８】図４から図７の散乱強度分布を重ね書きした折れ線グラフである。
【図９Ａ】図１の実施例構成に対して、携帯容易な構造にしたナノバブル発生装置の実施例構成である。図９Ｃは、使用形態を説明する図である。
【図９Ｂ】図１の実施例構成に対して、携帯容易な構造にしたナノバブル発生装置の実施例構成である。
【図９Ｃ】図９Ａ、図９Ｂの実施例構成の使用形態を説明する図である。
【図１０】ナノバブル発生装置を利用した、据え置き型のナノバブル水を提供する装置の実施例構成を示す図である。
【図１１】他の適用例であり、ナノバブル水により、バスタブ内の湯を正常に保つためのシステムに本発明に従うナノバブルによる殺菌方法に用いるナノバブル発生装置の構成例である。
【発明を実施するための形態】
【００１５】
以下に図面に従い、本発明に従うナノバブルによる殺菌方法及びこれに用いるナノバブルを発生する通電方式によるナノバブル発生装置について説明する。
【００１６】
図１は、本発明に従うナノバブルによる殺菌方法に用いる通電方式によるナノバブル発生装置の適用実施例の概略構成を示す図である。図１に示す例は、本発明のナノバブルによる殺菌方法に用いるナノバブル発生装置をポット容器に組み込んで、例えばうがい水の製造器として構成したものである。
【００１７】
蓋付きの注ぎ口を有するポット容器２内に、本発明のナノバブル発生装置１が固定して組み込まれている。ポット容器２内に、電解質イオン水３、例えば、通常の水道水を満たす。
【００１８】
ナノバブル発生装置１にはＡＣ１００Ｖ電源を直流に変換するＡＣ／ＤＣコンバータ１０が接続されている。
【００１９】
図２は、かかるポット容器２内に組み込まれている本発明に従うナノバブルによる殺菌方法に用いる通電方式によるナノバブル発生装置の構成例である。
【００２０】
２種類の異なる導電棒１２、１３が交互に平行に配列され、複数の導電棒１２の端部が、一端側で、共通電極１４に接続されている。一方、複数の導電棒１３の端部が、反対側端部で共通電極１５に接続されている。共通電極１４、１５側は、それぞれ絶縁性支持体１１Ｌ、１１Ｒにより固定されている。
【００２１】
電極となる導電棒１２、１３として白金、金、チタンなど身体に優しい金属が使用できる。また浄水の目的ではアルミ、ステンレス等多様な金属が使用できる。特に、銅は殺菌性が強い金属と考えられる。この様な金属の特性から目的に応じた電極材料の選択が可能である。
【００２２】
ここで、導電棒１２、１３の断面形状として円形の他に、四角形と多角形とすることが可能である。
【００２３】
さらに、実施例としては、陽極（＋）側に接続される導電棒１２としてチタンの金属棒を使用し、陰極（−）側に接続される導電棒１３として白金の金属棒を使用している。導電棒１３が白金のみであると高価であるので、チタンの金属棒の表面に白金をコーティングしたものであっても良い。また、上記の通り、チタンと白金の代わりに、アルミおよびステンレス金属等アレルギーを考慮した電極であれば、いずれにも代替が可能である。
【００２４】
また、陽極（＋）側と陰極（−）側の対応を相互に入れ替えても作動可能である。
【００２５】
さらに、絶縁性支持体１１Ｒの部分で、ＡＣ／ＤＣコンバータ１０の出力が、導電棒１２側に陽極（＋）側電極、導電棒１３側に陰極（−）側電極が対応する様に接続される。
【００２６】
ＡＣ／ＤＣコンバータ１０は、例としてＡＣ１００Ｖ電源をＤＣ１２Ｖ、０．２Ａの電圧に変換する。
【００２７】
この様な構成で、２種類の異なる導電棒１２、１３が交互に平行に配列された状態のナノバブル発生装置１を電解質イオン水中に配置し、直流電流を供給する。これにより、電解質イオン水が電気分解されて気泡が発生する。
【００２８】
図３は、理解容易なように気泡が発生した様子を示す図である。ビーカー４に電解質イオン水（水道水）を満たし、本発明に従う図２に示したナノバブル発生装置１を電解質イオン水中に浸して気泡を発生させた状態である。後に説明するように、上部の白い部分が気泡であり、４００ｎｍより大きい径のマイクロバブルが主体である。さらに、４００ｎｍ以下の径のバブルが水中に存在する。
【００２９】
［ナノバブル水のバブル形態観察及び分布状況］
ここで、上記の図２の構成のナノバブル発生装置１を用いて、電解質イオン水によりナノバブル水を生成した。電極棒として、１mm径のチタン電極棒と白金電極棒を用い、平行する電極棒間の間隔を１mmとした。チタン電極棒を陽極、白金棒を陰極に対応させて直流電流（ＤＣ１２Ｖ、０．２Ａ）を供給した。
【００３０】
ファイバー光学動的光散乱光度計（大塚電子八王子研究所パーティクルカウンタ）を用いて測定した。サンプルは、ナノバブル発生装置１で２０分間バブルを発生後、５、１５、３０、４５、６０分経過後におけるバブル形状を観察測定した。その後のバブルの存在は、ペン型赤色レーザー発光器により肉眼で確認した。
【００３１】
図４、図５、図６、図７は、それぞれナノバブル発生装置１で２０分間バブルを発生後、５分、１５分、３０分及び６０分経過後におけるバブル粒径値と散乱強度分布の関係を示すヒストグラムである。
【００３２】
図４において、ナノバブルは、３２０ｎｍを中央値とする２００〜４００ｎｍに分布していた。さらに時間経過後の図５〜図７からバブル発生当初は、マイクロバブルが多く混在するが、図６に示す３０分経過後の散乱強度分布としてナノバブル密度が最も高かった。
【００３３】
図８は、上記図４から図７の散乱強度分布を重ね書きした折れ線グラフである。このグラフからナノバブルが３２０ｎｍを中央値とする２００〜４００ｎｍに分布していることが判る。
【００３４】
上記の観察において、バブル発生器には、１μｍ以上のマイクロバブルが混在している。
【００３５】
そして、マイクロバブルは１時間程度掛けて次第に浮き上がり消失する。はじける前のバブルに火を近づけると小さく引火して破裂する。したがって、バブルは、水素ガスのバブルと考えられる。
【００３６】
バブル発生時、電解質イオン水は、図３に示したようにマイクロバブルにより上層部が白濁するが、次第に消失し全体が透明になりナノバブルだけが残存する。ナノバブルは、視認できず、上記のとおりレーザー光照射によって気泡を光らせることで存在が確認出来た。２４時間以降もレーザー光によるナノバブルは確認出来たが密度は下がっていると思われる。
【００３７】
結果として、２００ｎｍ〜４００ｎｍのナノバブル水は発生１５〜３０分が最も高く、しだいに密度を下げて行く傾向が窺えた。したがって、使用目的によっては、短時間で使い切ることが望ましいと考えられる。
【００３８】
［ナノバブル水の殺菌能］
次に、上記のとおり、作業時間を考慮して、散乱強度分布としてナノバブル密度が最も高かったバブル発生後２０分経過時のナノバブル水を使用して、その殺菌能比較試験を行った。
【００３９】
１）科学的性状
次の４種類の性状の資料を用意した。
ａ）煮沸による脱塩処理した電解質イオン水（原水）
ｂ）煮沸による脱塩処理したナノバブル水
ｃ）未処理の原水
ｄ）未脱塩処理のナノバブル水
上記４種類の資料の科学的性状は次の様であった。
水温(℃)           pH          有効塩素濃度(mg/ml)     オゾン濃度(mg/ml)
ａ）  24.4             6.6                0                     0
ｂ）  24.5             6.7                0                     0
ｃ）  24.1             6.5              0.30                    0
ｄ）  24.6             6.6              0.35                    0
【００４０】
２）殺菌率（３系統の平均値で算出）
Staphylococus aureus NBRC12732（黄色ブドウ球菌）については、次の様であった。
菌数:時間(0分)        10分処理        殺菌率     
ａ）    500,000            290,000 
ｂ）    500,000             34,000          88%
ｃ）、ｄ）は、有効塩素濃度が有り、検出下限以下
Escherichia coli NBR3972（大腸菌）については、次の様であった。
菌数:時間(0分)        10分処理        殺菌率     
ａ）    450,000            420,000 
ｂ）    450,000            200,000          52%
ｃ）、ｄ）は、有効塩素濃度が有り、検出下限以下
Aggregatibacter actinomycetemcomitans（歯周病菌一）については、次の様であった。
菌数:時間(0分)        10分処理        殺菌率
ａ）  1,300,000          1,100,000 
ｂ）  1,300,000            120,000          89%
ｃ）、ｄ）は、有効塩素濃度が有り、検出下限以下
Porphyromonas gingivalis JCM12257（歯周病菌二）については、次の様であった。
菌数:時間(0分)        10分処理        殺菌率
ａ）    480,000             50,000
ｂ）    480,000             ＜10            99.98%
(10として算出)
ｃ）    480,000             10
ｄ）    480,000            ＜10   ｃ）の対照が検出以下のため算出不能
上記試験に基づいて、次のように纏められる。
【００４１】
本発明に従うナノバブルによる殺菌方法に用いるナノバブル発生装置の原理は、通電方式によるナノバブル発生方式であり、電解質を含む水の電気分解を原理とする。したがって、水素を含むバブルが上昇・圧壊した後、水中に残存するバブルは、マイナスイオンに取り囲まれた酸素のナノバブルと考えられる。マイナスイオンに取り囲まれた酸素の微粒気泡は、プラス荷電の種々の菌と電気的に会合し易いと考えられる。
【００４２】
酸素を主体とするナノバブル中にオゾンは検出されなかった。原水に含まれる塩素はバブル化しても減退せず、ナノバブル水の殺菌能検討には脱塩素する必要が認められた。
【００４３】
脱塩素電解質イオン水を用いたナノバブル水により以下の結果が導かれた。
【００４４】
図４〜図７のヒストグラムにおけるバブルの散乱強度分布から、よりバブルが高密度となるバブル発生後実質２０分前後のものを使用し、対象試験菌にナノバブル水を１０分間被爆させ、菌数の増減を検討した。
【００４５】
その結果は、次の通りであった。すなわち、Escherichia coli NBR3972（大腸菌）の殺菌率は５２％、Staphylococus aureus NBRC12732（黄色ブドウ球菌）の殺菌率は８８％、Aggregatibacter actinomycetemcomitans（歯周病菌一）は８９％、Porphyromonas gingivalis JCM12257（歯周病菌二）は９９．９８％である。
【００４６】
１０分被爆で常在菌叢をある程度残し、菌数を整える目的に十分な制菌効果が得られると判断できる。
【００４７】
また、菌の大きさは、Staphylococus aureus NBRC12732（黄色ブドウ球菌）が1×1μｍ、Escherichia coli NBR3972（大腸菌）が1×2〜6μｍ、そしてAggregatibacter actinomycetemcomitans（歯周病菌一）が0.1×0.2μｍであり、菌の大きさが殺菌率に影響していると考えられる。
【００４８】
対象菌としてEscherichia coli NBR3972（大腸菌）は、一般細菌の指標として検討したものであり、口腔内の意義は、少ないと思われる。また、ナノバブル水の身体全体の洗浄等の応用には、被爆時間との関係もあり検討を必要とする。
【００４９】
一方、小型の菌で口腔内の常在菌であるStaphylococus aureus NBRC12732（黄色ブドウ球菌）には効率に殺菌効果を示した。さらに、歯周病の原因菌であるAggregatibacter actinomycetemcomitansにも効率に殺菌効果を示した。
【００５０】
上記結果は、ナノバブルの殺菌能は菌の大きさに依存し、ナノバブルが菌と会合出来れば十分な殺菌性を発揮できると推察された。
【００５１】
一般的にナノバブルは、液層への浸透性が高く粘液内にも移行しやすいと言われている。歯周病の炎症部位は、歯間に満たされる粘液深部に嫌気性の歯周病菌が介在することにより慢性炎症を引き起こす。標準的な治療は隙間の歯垢を掻き出すものである。治療により歯間部が広げられると歯周病菌は更に深部に進み、口腔内環境が更に悪化する可能性がある。
【００５２】
ナノバブルは粘液中に浸透し嫌気性環境に巣くう歯周病菌にナノ泡粒として会合することが想定され、嫌気性の口腔内環境を改善することが期待される。
【００５３】
［具体的な適用例］
次に、上記した本発明の、ナノバブル発生装置１により生成されるナノバブルによる殺菌方法の制菌能を考慮した具体的な適用例について更に説明する。
【００５４】
図９Ａ、図９Ｂは、図１の実施例構成に対して、携帯容易な構造にしたナノバブル発生装置１の実施例構成である。図９Ｃは、図９Ａ、図９Ｂの実施例構成の使用形態を説明する図である。
【００５５】
図９Ａは、コードレスでバッテリを有する形態、図９Ｂは、電源コードを通し、商用電源で使用する形態である。
【００５６】
図９Ａ、図９Ｂにおいて、ナノバブル発生装置１は、ナノバブル発生部Ｉと本体部ＩＩを有する構造である。ナノバブル発生部Ｉは、２種類の電極棒１２，１３を有し、２本の第１の種類の電極棒１２と、第１の種類と異なる第２の種類の電極棒１３を交互に平行に間隔を置いて並ぶように端部が固定部１１で固定されている。第１の種類の電極棒１２と、第１の種類と異なる第２の種類の電極棒１３を入れ替えて配置してもよい。
【００５７】
さらに、２種類の電極棒１２，１３のそれぞれを１本ずつとして、平行に並べて対にした構成でもよい。ただし、この場合は、同じ電流では、バブル発生に要する時間が長くなる。
【００５８】
図９Ａの構成例では、本体部ＩＩには、電源部としてバッテリ２０が収納され、更に詳細図示を省略しているが、バッテリ２０の出力電圧を昇圧する昇圧回路、タイマーそして、電流制御としてＰＷＭ（パルス幅制御）機能を有する制御部２２を有する。電圧及び、電流更に通電時間が制御される、制御部２２の陽極（＋）出力端子と、陰極（−）出力端子が、それぞれ第１の種類の電極棒１２と第２の種類の電極棒１３に接続される。
【００５９】
制御指示部２１により、前記電圧及び、電流更に通電時間の設定が使用者により行われる。
【００６０】
なお、バッテリ２０は、乾電池、あるいは充電可能なバッテリとすることが出来る。
【００６１】
図９Ｂは、商用電源で使用する形態であり、１００Ｖの商用電源をＡＣ／ＤＣコンバータ２３を通して、本体部ＩＩの制御部２２に入力する。本体部ＩＩの制御部２２は、図９Ａについて説明したと同じであるので、同様の説明は省略する。
【００６２】
図９Ｃは、図９Ａ、図９Ｂに示した携帯容易な構造にしたナノバブル発生装置１の使用方法である。
【００６３】
コップ２４に水道水を満たし、これに制御指示部２１により電圧、電流、更に動作時間を設定してナノバブル発生装置１のナノバブル発生部Ｉをコップ内に浸ける状態にする。これにより、先に図１〜図３において説明したように、コップ内の水道水にナノバブルが発生する。したがって、コップ内に発生したナノバブル水は、上記したようにその殺菌能力が確かめられたので、口腔内洗浄に使用することが出来る。
【００６４】
図１０は、ナノバブル発生装置１を利用した、据え置き型のナノバブル水を提供する装置の実施例構成を示す図である。
【００６５】
筐体内にナノバブル発生装置１を水２６が満たされたタンク２５内に配置する。このナノバブル発生装置１には、先の実施例構成で説明したように、商用電源から供給される交流電圧を直流電圧に変換するＡＣ／ＤＣコンバータ２３により得られる直流電圧が、制御部２２を通して供給される。
【００６６】
制御部２２により、ナノバブル発生装置１への直流電流の大きさ、供給時間が制御される。制御部２２は、更に、ポンプ２７を駆動する電力を供給する。ポンプ２７は、水タンク２５と導水管により繋がれているので、制御部２２により制御されて、水タンク２５内のナノバブル水を吸い上げて、配管２８を通して、排出する。したがって、排出されるナノバブル水をコップ２４で受けて、飲料あるいは、口腔内洗浄に使用することが出来る。
【００６７】
さらに、図１１は、他の適用例であり、ナノバブル水により、バスタブ内の湯を正常に保つためのシステムに本発明に従うナノバブル発生装置１を用いる構成例である。
【００６８】
すなわち、かかる図１１の構成ではバスタブ３０内に張られた湯水３１中に、ナノバブル発生装置１を沈める。この時、入浴者の体とナノバブル発生装置１の電極とが接触しないように、絶縁体の外装に覆われるようにしている。
【００６９】
外部には、防水ボックス３２を有し、防水ボックス３２内に、商用電源から供給される交流電圧を直流電圧に変換するＡＣ／ＤＣコンバータ２３により得られる直流電圧により充電されるバッテリ２０と、制御部２２を有する。したがって、バッテリ２０と、制御部２２は、防水ボックス３２の防水構造で保護される。
【００７０】
すなわち、商用電源から切り離されて防水ボックス３２のみを浴室内に置くことができる。防水ボックス３２内の制御部２２により、先の構成例と同様に、ＰＷＭ機能を有してバスタブ内のナノバブル発生装置１に供給される直流電流が制御される。
【産業上の利用可能性】
【００７１】
上記したように、本発明に従うナノバブルによる殺菌方法に用いるナノバブルの発生装置は、簡易な構造でナノバブルを発生することが可能であり、発生したナノバブルの殺菌能が確認された。よって、上記したように生成されたナノバブルの殺菌能を考慮して、種々の適用が可能である。一例として、ナノバブル水を飲料として、あるいはナノバブル水を使用する種々の洗浄装置を構成して提供することが可能である。
【符号の説明】
【００７２】
１  ナノバブル発生装置
２  ポット容器
３  電解質イオン水
１０、２３  ＡＣ／ＤＣコンバータ
１１Ｌ、１１Ｒ  電極棒支持体
１２  陽極側電極棒
１３  陰極側電極棒
１４、１５  共通電極
２０  バッテリ
２１  制御指示部
２２  制御部
【手続補正２】
【補正対象書類名】特許請求の範囲
【補正対象項目名】全文
【補正方法】変更
【補正の内容】
【特許請求の範囲】
【請求項１】
第１の電極棒と、前記第１の電極棒と異なる種類の第２の電極棒を有し、前記第１の電極棒と第２の電極棒は、間隔を置いて並行に配置され、更に、前記第１の電極棒と前記第２の電極棒間に、直流電流を供給する電源を有し、前記第１の電極棒と前記第２の電極棒は、電解質イオン水中で前記電源により通電されるバブル発生装置によりバブルを発生させ、
時間経過において密度の高くなる３２０ｎｍを中央値とする２００〜４００ｎｍのナノバブルにより嫌気性菌を含む菌全般を殺菌する、
ことを特徴とするナノバブルによる殺菌方法。
【請求項２】
請求項１において、
前記時間経過は、前記バブル発生後１５〜３０分経過後である、
ことを特徴とする通電方式によるナノバブルによる殺菌方法。
【請求項３】
第１の電極棒と、前記第１の電極棒と異なる第２の電極棒を有し、前記第１の電極棒と前記第２の電極棒は、間隔を置いて並行に配置され、前記第１の電極棒と前記第２の電極棒間に直流通電してバブルを発生する装置を用いた殺菌方法であって、
前記第１の電極をチタンで陽極側の電極棒とし、前記第２の電極棒を白金で陰極側の電極棒とし、
前記チタンの電極棒と前記白金の電極棒を電解質イオン水中で前記電源により通電してバブルを発生させ、
前記バブルの発生から１５〜３０分後の密度の高くなる３２０ｎｍを中央値とする２００ｎｍ〜４００ｎｍのナノバブルを殺菌に使用する、
ことを特徴とするナノバブルによる殺菌方法。
【請求項４】
請求項１のナノバブルによる殺菌方法に用いるナノバブルの発生装置であって、
所定容器と、
第１の電極棒と、
前記第１の電極棒と異なる種類の第２の電極棒を有し、
前記第１の電極棒と第２の電極棒は、前記所定容器内に間隔を置いて並行に配置され、
更に、前記第１の電極棒と前記第２の電極棒間に、直流電流を供給する電源を有し、
前記第１の電極棒と前記第２の電極棒に、電解質イオン水中で前記電源により通電してバブルを発させ、
嫌気性菌を含む菌全般を殺菌するための、時間経過において密度の高くなる３２０ｎｍを中央値とする２００〜４００ｎｍのナノバブルを生成する、
ことを特徴とするナノバブルの発生装置。
【請求項５】
請求項１のナノバブルによる殺菌方法に用いるナノバブルの発生装置であって、
第１の電極棒と、
前記第１の電極棒と異なる種類の第２の電極棒を有し、
前記第１の電極棒と第２の電極棒は、間隔を置いて並行に配置され、
更に、前記第１の電極棒と前記第２の電極棒間に、直流電流を供給する電源を有し、
前記第１の電極棒と前記第２の電極棒に、電解質イオン水中で前記電源により通電してバブルを発させるナノバブル発生装置と、
前記ナノバブル発生装置により発生されるナノバブルであって、時間経過において密度の高くなる３２０ｎｍを中央値とする２００〜４００ｎｍの、嫌気性菌を含む菌全般の殺菌を行うためのナノバブルを被殺菌対象に供給する手段を有する、
ことを特徴とするナノバブルの発生装置。
【請求項６】
請求項４又は５において、
前記時間経過は、前記バブル発生後１５〜３０分経過後である、
ことを特徴とするナノバブルの発生装置。
【請求項７】
請求項４又は５において、
前記第１の電極をチタンで陽極側の電極棒とし、前記第２の電極棒を白金で陰極側の電極棒とする、
ことを特徴とするナノバブルの発生装置。
【国際調査報告】
2014148397.tif 000016
2014148397.tif 000017
2014148397.tif 000018
2014148397.tif 000019
2014148397.tif 000020
2014148397.tif 000021